(57)【要約】【課題】  携帯式コンピュータのスタンド装置の提供。【解決手段】  台座の表面の前端に前位置決め構造が設けられ、且つ台座の上表面の前端と後端の間に後ろ位置決め構造が設けられ、携帯式コンピュータを急な傾斜角度で台座上に置く時、後ろ位置決め構造で位置決めでき、緩やかな傾斜角度で台座上に設置する時は前位置決め構造に位置決めできる。これにより携帯式コンピュータに異なる角度の使用方式を形成させることができ使用上の便利性を高め、且つ携帯式コンピュータを緩やかな傾斜角度で設置してデジタル感応ペンで操作する時、人体工学に符合し使用者に傷害を発生しない。【選択図】        図２
2005182739.tif 000002
【特許請求の範囲】
【請求項１】
携帯式コンピュータのスタンド装置において、
該携帯式コンピュータのスタンド装置は台座及び携帯式コンピュータを具え、
該台座は、上表面、前端、後端、左側端、右側端を具え、且つ上表面の後端近くに支持アームが回動可能に枢支され、この支持アームは台座の上表面に対して回転し立ち上げられ、該上表面の前端近くに少なくとも一つの前位置決め構造が設けられ、また上表面の前端と後端の間に少なくとも一つの後ろ位置決め構造が形成され、
該携帯式コンピュータは下縁、表示面、及び背面を具え、該背面の下縁近くに少なくとも一つの位置決め手段が凸設され、
該携帯式コンピュータが台座の上表面に対して急な傾斜角度を以て台座上に設置される時、携帯式コンピュータの背面は支持アームで支持され、且つ携帯式コンピュータの下縁の少なくとも一つの位置決め手段が台座の上表面の少なくとも一つの後ろ位置決め構造に対応して位置決めされ、
該携帯式コンピュータを台座の上表面に対して緩やかな傾斜角度を以て台座上に設置される時、携帯式コンピュータの背面は支持アームに支持され、且つ携帯式コンピュータの下縁の少なくとも一つの位置決め手段が台座上表面の少なくとも一つの前位置決め構造に対応し位置決めされ、並びにデジタル感応ペンによる入力操作に供されることを特徴とする、携帯式コンピュータのスタンド装置。
【請求項２】
請求項１記載の携帯式コンピュータのスタンド装置において、台座の上表面の前端の二端に上向きにストッパ凸板が凸設され、携帯式コンピュータが台座の上表面に対して緩やかな傾斜角度を呈するように該台座上に設置される時、該携帯式コンピュータがその下縁を以てこれらストッパ凸板に当接されることを特徴とする、携帯式コンピュータのスタンド装置。
【請求項３】
請求項１記載の携帯式コンピュータのスタンド装置において、台座の上表面にキーボードが組み付けられたことを特徴とする、携帯式コンピュータのスタンド装置。
【請求項４】
請求項１記載の携帯式コンピュータのスタンド装置において、携帯式コンピュータがタブレットＰＣとされたことを特徴とする、携帯式コンピュータのスタンド装置。
【発明の詳細な説明】
【技術分野】
【０００１】
本発明は一種の携帯式コンピュータのスタンド装置に係り、特に携帯式コンピュータと台座の間のスタンド装置に係り、タブレットＰＣと台座の間に適用されるスタンド装置に関する。
【背景技術】
【０００２】
現在、タブレットＰＣ等の携帯式コンピュータには台座が組み合わされて使用され、且つ台座上にキーボードが組み付けられて使用者がタブレットＰＣ自身のデジタル感応ペン、或いは台座のキーボードで入力操作を行なうことができ、これにより両用型の携帯式コンピュータ装置が形成される。
【０００３】
図１は周知のタブレットＰＣと台座の立体図であり、そのうちタブレットＰＣ９１は底部がストッパ片９２２に当接され並びに背部が支持フレーム９２３で支持されて台座９２の上に立てられ、且つ台座９２の上表面にキーボード９２１が設けられ、これにより使用者がキーボード９２１で入力操作を行なうことができる。
【０００４】
しかし、使用者がデジタル感応ペン９３で入力操作を行なおうとすると、図１のタブレットＰＣ９１の角度が急すぎるため、デジタル感応ペン９３での入力には不適合で、使用上の困難を形成し、且つ人体工学の要求に符合しないため、使用者の肘や手首に傷害を形成しやすい。
【発明の開示】
【発明が解決しようとする課題】
【０００５】
本発明の主要な目的は、一種の携帯式コンピュータのスタンド装置を提供することにあり、それは、多種類の使用方式を有することで便利性を高め、並びに人体工学の要求に符合して使用者に傷害を発生させないものとする。
【課題を解決するための手段】
【０００６】
請求項１の発明は、携帯式コンピュータのスタンド装置において、
該携帯式コンピュータのスタンド装置は台座及び携帯式コンピュータを具え、
該台座は、上表面、前端、後端、左側端、右側端を具え、且つ上表面の後端近くに支持アームが回動可能に枢支され、この支持アームは台座の上表面に対して回転し立ち上げられ、該上表面の前端近くに少なくとも一つの前位置決め構造が設けられ、また上表面の前端と後端の間に少なくとも一つの後ろ位置決め構造が形成され、
該携帯式コンピュータは下縁、表示面、及び背面を具え、該背面の下縁近くに少なくとも一つの位置決め手段が凸設され、
該携帯式コンピュータが台座の上表面に対して急な傾斜角度を以て台座上に設置される時、携帯式コンピュータの背面は支持アームで支持され、且つ携帯式コンピュータの下縁の少なくとも一つの位置決め手段が台座の上表面の少なくとも一つの後ろ位置決め構造に対応して位置決めされ、
該携帯式コンピュータを台座の上表面に対して緩やかな傾斜角度を以て台座上に設置される時、携帯式コンピュータの背面は支持アームに支持され、且つ携帯式コンピュータの下縁の少なくとも一つの位置決め手段が台座上表面の少なくとも一つの前位置決め構造に対応し位置決めされ、並びにデジタル感応ペンによる入力操作に供されることを特徴とする、携帯式コンピュータのスタンド装置としている。
請求項２の発明は、請求項１記載の携帯式コンピュータのスタンド装置において、台座の上表面の前端の二端に上向きにストッパ凸板が凸設され、携帯式コンピュータが台座の上表面に対して緩やかな傾斜角度を呈するように該台座上に設置される時、該携帯式コンピュータがその下縁を以てこれらストッパ凸板に当接されることを特徴とする、携帯式コンピュータのスタンド装置としている。
請求項３の発明は、請求項１記載の携帯式コンピュータのスタンド装置において、台座の上表面にキーボードが組み付けられたことを特徴とする、携帯式コンピュータのスタンド装置としている。
請求項４の発明は、請求項１記載の携帯式コンピュータのスタンド装置において、携帯式コンピュータがタブレットＰＣとされたことを特徴とする、携帯式コンピュータのスタンド装置としている。
【発明の効果】
【０００７】
本発明は前位置決め構造と後ろ位置決め構造の設計により、携帯式コンピュータに異なる角度の使用方式を形成させ、例えば、携帯式コンピュータを後ろ位置決め構造に位置決めする時は、別の入力装置例えばキーボード等の入力装置により操作を行なえ、また携帯式コンピュータを前位置決め構造に位置決めする時は、デジタル感応ペンによる操作が行なえる。これにより、本発明の設計は使用上の便利性を高めることができ、且つデジタル感応ペンで操作する時、携帯式コンピュータが緩やかな傾斜角度を呈するため使用者の手部による操作が行ないやすく、人体工学の要求に符合して使用者に対する傷害を防止できる。
【発明を実施するための最良の形態】
【０００８】
本発明の携帯式コンピュータのスタンド装置は、台座及び携帯式コンピュータを具えている。そのうち、台座は、上表面、前端、後端、左側端、右側端を具え、且つ上表面の後端近くに支持アームが回動可能に枢支され、この支持アームは台座の上表面に対して回転し立ち上げられる。このほか、上表面の前端近くに少なくとも一つの前位置決め構造が設けられ、また上表面の前端と後端の間に少なくとも一つの後ろ位置決め構造が形成されている。
【０００９】
このほか、本発明の携帯式コンピュータは下縁、表示面、及び背面を具え、そのうち、背面の下縁近くに少なくとも一つの位置決め手段が凸設されている。
【００１０】
これにより、上述の携帯式コンピュータを台座の上表面に対して急な傾斜角度を以て
台座の上に置く時、携帯式コンピュータの背面は支持アームで支持され、且つ携帯式コンピュータの下縁の少なくとも一つの位置決め手段が台座の上表面の少なくとも一つの後ろ位置決め構造に対応して位置決めされる。
【００１１】
また、上述の携帯式コンピュータを台座の上表面に対して緩やかな傾斜角度を以て台座上に置く時、携帯式コンピュータの背面は同様に支持アームに支持され、且つ携帯式コンピュータの下縁の少なくとも一つの位置決め手段は台座上表面の少なくとも一つの前位置決め構造に対応し位置決めされ、並びにデジタル感応ペンによる入力操作に供される。
【実施例１】
【００１２】
図２は本発明の立体図であり、それは、台座１及び携帯式コンピュータ２を具えている。そのうち、台座１は、上表面１０、前端１０１、後端１０２、左側端１０３、右側端１０４を具え、且つ上表面１０にキーボード１４が組み付けられ、また台座１の上表面１０の前端１０１の二端に上向きにストッパ凸板１３が凸設されている。
【００１３】
上述の台座１の上表面１０の後端１０２近くに支持アーム１１が回動可能に軸支され、この支持アーム１１は台座１の上表面１０に対して回転して立ち上がることができ、且つ上表面１０の前端１０１近くの、左側端１０３と右側端１０４近くに前位置決め構造１２が形成され、また上表面１０の前端１０１と後端１０２の間にあって、左側端１０３と右側端１０４近くに後ろ位置決め構造１５が形成され、本実施例では前位置決め構造１２と後ろ位置決め構造１５にはいずれも位置決め凹溝が使用されている。
【００１４】
このほか、図中の携帯式コンピュータ２は本実施例ではタブレットＰＣとされ、それは下縁２０１、表示面２１、及び背面２２を具え、そのうち背面２２の下縁２０１近くに二つの位置決め手段２３が凸設され、本実施例ではこの二つの位置決め手段２３に凸点が使用されている。
【００１５】
図２、３も併せて参照されたい。図３は本発明の前位置決め構造の拡大図、図４は本発明の携帯式コンピュータを緩やかな傾斜角度で台座上に設置した表示図である。そのうち、携帯式コンピュータ２が台座１の上表面１０に対して急な角度を呈し且つその表示面２１が上向きとされて台座１上に設置される時、携帯式コンピュータ２の背面２２は支持アーム１１に支持され、且つ携帯式コンピュータ２の下縁２０１の二つの位置決め手段２３はそれぞれ対応する台座１の上表面１０の後ろ位置決め構造１５に位置決めされ、即ち位置決め手段２３の凸点が後ろ位置決め構造１５の位置決め凹溝内に挿入並びに位置決めされる。この時、使用者は台座１の上表面１０のキーボード１４により入力操作を行なうことができる。
【００１６】
また、携帯式コンピュータ２が台座１の上表面１０に対して緩やかな傾斜角度を呈し且つその表示面２１が上向きとされて台座１上に設置される時、携帯式コンピュータ２の背面２２は支持アーム１１に支持され、且つ携帯式コンピュータ２の下縁２０１の二つの位置決め手段２３はそれぞれ対応する台座１の上表面１０の前位置決め構造１２に位置決めされ、即ち位置決め手段２３の凸点が前位置決め構造１２の位置決め凹溝内に挿入並びに位置決めされる。また携帯式コンピュータ２はその下縁２０１が台座１の前端１０１の二つのストッパ凸板１３に当接し、この時、使用者はデジタル感応ペン２４で入力操作を行なうことができ、これは図４に示されるとおりである。
【００１７】
以上から分かるように、本発明は台座１の前位置決め構造１２と後ろ位置決め構造１５の設計により、携帯式コンピュータ２に異なる角度の使用方式を形成させ、例えば、携帯式コンピュータ２を後ろ位置決め構造１５に位置決めする時は、キーボード１４等の入力装置により操作を行なえ、また携帯式コンピュータ２を前位置決め構造１２に位置決めする時は、デジタル感応ペン２４による操作が行なえる。これにより、本発明の設計は携帯式コンピュータ２の使用上の便利性を高めることができ、且つデジタル感応ペン２４で操作する時、携帯式コンピュータ２が緩やかな傾斜角度を呈するため使用者の手部による操作が行ないやすく、人体工学の要求に符合して使用者に対する傷害を防止できる。このほか、ストッパ凸板１３の設計により携帯式コンピュータ２の位置決め時の強固性が増されている。
【００１８】
上述の前位置決め構造１２と後ろ位置決め構造１５は位置決め凹溝の使用に限定されず、フックに係合孔を組み合わせる方式も使用できる。
【図面の簡単な説明】
【００１９】
【図１】周知のタブレットＰＣと台座の立体図である。
【図２】本発明の立体図である。
【図３】本発明の前位置決め構造の拡大図である。
【図４】本発明の携帯式コンピュータを緩やかな傾斜角度で台座上に設置した表示図である。
【符号の説明】
【００２０】
１  台座          １０  上表面          １０１  前端
１０２  後端      １０３  左側端        １０４  右側端
１１  支持アーム  １２  前位置決め構造  １３  ストッパ凸板
１４  キーボード  １５  後ろ位置決め構造  ２  携帯式コンピュータ
２０１  下縁      ２１  表示面            ２２  背面
２３  位置決め手段  ２４  デジタル感応ペン    ９１  タブレットＰＣ
９２  台座          ９２１  キーボード        ９２２  ストッパ片
９２３  支持フレーム  ９３  デジタル感応ペン
【図１】
2005182739.tif 000003
【図２】
2005182739.tif 000004
【図３】
2005182739.tif 000005
【図４】
2005182739.tif 000006